(57)【要約】      （修正有）【課題】ナースコール装置において、隣接する患者に会話の内容を聞かれたくない場合や、声が出せない患者など会話に拠って要求を伝えられない場合の呼び出し方法を提供する。【解決手段】握り押しボタン４に呼び出し要求の種類を選択する表示窓３を設け、表示窓３に表示された呼び出しを選択した後、呼び出しボタン１の押下に拠ってナースコール呼び出しが出来る手段と、呼び出しを受けた廊下灯は表示窓３の位置に対応した呼び出し種類を検出してナースコール親機へ呼び出し種類と呼び出し情報を送信する手段と、ナースコール親機にて呼び出しの種類に応じた鳴動音と共に呼び出し種類の文字表示または点灯表示を行う手段を設ける。【選択図】図１
2007006929.tif 000002
【特許請求の範囲】
【請求項１】
医療従事者を呼び出すナースコール装置において、呼び出し要求の種類を選択する表示窓を設け、呼び出しボタンの押下に拠ってナースコール呼び出しが出来る握り押しボタンと、前記表示窓の位置に対応した呼び出し種類を検出してナースコール親機へ呼び出し種類と呼び出し情報を送信する廊下灯と、前記ナースコール親機にて呼び出しの種類に応じた鳴動音と共に呼び出し種類の文字表示または点灯表示を行うことを特徴とするナースコール装置。
【請求項２】
円筒状の回転可能な可動部に表示窓を設け、前記回転式表示窓の下部の固定部に呼び出し要求の種類に応じた文字または記号または絵文字を表記し、前記表示窓を回転すると１種類の呼び出しを示す文字または記号または絵文字が表示窓を通して見ることが出来る様に前記回転式表示窓の可動部側と下部の固定部側にそれぞれ半球状の突起部と凹み部がある表示位置保持手段を設けた握り押しボタンを利用してナースコール呼び出しが行えることを特徴とする請求項１記載のナースコール装置。
【請求項３】
スライド式表示窓を設け、前記スライド式表示窓の下部の固定部に呼び出し要求の種類に応じた文字または記号または絵文字を表記し、前記表示窓を移動すると１種類の呼び出しを示す文字または記号または絵文字が表示窓を通して見ることが出来る様に前記スライド式表示窓の可動部側と下部の固定部側にそれぞれ半球状の突起部と凹み部がある表示位置保持手段を設けた握り押しボタンを利用してナースコール呼び出しが行えることを特徴とする請求項１記載のナースコール装置。
【請求項４】
請求項２及び請求項３において、前記表示窓の下部の固定部に呼び出し要求の種類に応じた文字または記号または絵文字は、使用される場所に応じて変更できるシートはめ込み式としたことを特徴とする請求項１記載のナースコール装置。
【発明の詳細な説明】
【技術分野】
【０００１】
本発明は、病院や福祉・介護施設に使用されるナースコール装置に関する。
【背景技術】
【０００２】
周知の様に、病院や介護施設では医療従事者（主に看護師、介護施設では介護士など）と患者が通話する為のナースコール装置が設置されている。  このナースコール装置では、患者が呼び出しに使用する握り押しボタンまたは通話機能と呼び出しボタンを備えたハンド型子機などのナースコール子機が各ベッドに備えられている。  ベッドの頭部側壁面には、壁取り付け子機が有り、握り押しボタンまたはハンド型子機と接続され、患者が呼び出しのボタンを押すと、壁取り付け子機から各病室の入り口近傍に設置されている廊下灯を経由して、ナースステーション（介護施設ではスタッフステーション）に設置されているナースコール親機に通知される。  ナースコール親機では、呼び出しがある部屋番号・ベッド番号が表示され、呼び出し音が鳴動して看護師に知らせ、看護師が送受話器を取り上げると患者と通話ができる。  （特許文献１を参照）
【特許文献１】特許第２８８７５５２号公報
【特許文献２】特許公開平成１１−０７３８４９
【発明の開示】
【発明が解決しようとする課題】
【０００３】
従来のナースコール装置は、患者の要求が通話に拠って伝えられることが主体であった。
しかし、隣接する患者に会話の内容を聞かれたくない場合もある。  例えば、トイレの介助など、特に若い女性患者などは遠慮してしまう。  また、声が出せない患者など会話に拠って要求を伝えられない場合もある。  本発明は、前述の問題を解決する為に成されたものである。
【０００４】
呼び出しボタンに意味を持たせた提案は今までもあるが、押しボタンの数を複数設けたに過ぎず、呼び出しの種類が多くなると実現が容易ではなくなる。  複数の押しボタンを設けた提案例を特許文献２に示す。
【０００５】
本発明は、呼び出しの種類を複数設けることで、簡単な患者の要求は通話をしなくても看護師に分るように工夫したものである。
【課題を解決するための手段】
【０００６】
握り押しボタンに呼び出し要求の種類を選択する表示窓を設け、表示窓に表示された呼び出しを選択した後、呼び出しボタンの押下に拠ってナースコール呼び出しが出来る手段と、呼び出しを受けた廊下灯は表示窓の位置に対応した呼び出し種類を検出してナースコール親機へ呼び出し種類と呼び出し情報を送信する手段と、ナースコール親機にて呼び出しの種類に応じた鳴動音と共に呼び出し種類の文字表示または点灯表示を行う手段を設ける。
【発明の効果】
【０００７】
隣接する患者に会話内容を聞かれることなく看護師に要求が伝わるので、患者のプライバシーが守れる。  また、声が出せない患者でも要求を伝えることが出来る等の効果がある。  看護師にとっては、患者と会話せずに要求が分るのでより迅速な対応が可能となる。  
【発明を実施するための最良の形態】
【０００８】
以下、本発明の実施形態を図面に基づいて説明する。
図１は、呼び出し種類を選択する表示窓が左右に回転する握り押しボタンの外観図を示す。
図２は、呼び出し種類を選択する表示窓が上下にスライドする握り押しボタンの外観図を示す。
図３は、ナースコール装置の全体構成を示す。  図４は、廊下灯とナースコール子機と握り押しボタンの内部構成を示すブロック図である。
【０００９】
図１に於いて、呼び出し種類表示窓（３）は左右に回転できる回転ケース（２）の表面にあり、回転すると回転ケース（２）の下の固定部に表記されている呼び出し種類を示す文字または記号または絵文字の１種類が見える。  回転位置が固定部の表記文字（または記号）の定位置になる様に回転ケース（２）の可動部側と固定部側に、それぞれ弾性のある半球状の突起部と凹み部を設ける。
この突起部と凹み部が噛み合って表示窓（３）が固定され、    １つだけの呼び出し種類が表示窓（３）に現れる様な構造に製作する。  
【００１０】
表示窓（３）に現れた呼び出し種類を選んだ後、呼び出しボタン（１）を押すと、呼び出し種類を廊下灯（８）で検出してその情報をナースコール親機（７）に伝達する。    接続線（５）はナースコール子機（９）を経由して廊下灯（８）に接続されている。      無線方式の場合は、接続線
（５）は不要である。
【００１１】
図２に於いて、呼び出し種類表示窓（３）は上下にスライドできるスライド・ボタン（６）に拠って移動することが出来る。表示窓の下には固定部に表記されている呼び出し種類を示す文字または記号または絵文字の１種類が見える。  スライド位置が固定部の表記文字（または記号）の定位置になる様に可動部側と固定部側に、それぞれ弾性のある半球状の突起部と凹み部を設ける。
この突起部と凹み部が噛み合って表示窓（３）が固定され、    １つだけの呼び出し種類が表示窓（３）に現れる様な構造に製作する。
【００１２】
図５は、呼び出しの種類の一例を示す。  病院または介護施設または病棟毎に呼び出し種類を変更することが出来る様に、呼び出し種類の表記部はシート式にする。    差込式のシートを交換することで呼び出しの種類を変更することが出来る。    例えば、小児科病棟と産婦人科病棟では呼び出しの種類を変える方が便利であり、病棟特有の呼び出し種類を選ぶことが可能である。
【００１３】
図３は、ナースコール装置の全体を示す構成図である。  図３に於いて、病室のベッドには看護師を呼び出すための握り押しボタン（４）や通話機能を持つハンド型子機（１０）が設置される。
患者が握り押しボタン（４）またはハンド型子機（１０）の呼び出しボタンを押すと、ナースコール子機（９）を経由して廊下灯（８）に呼び出しが伝達される。    廊下灯（８）では、呼び出しが検知されると、廊下に居る看護師に呼び出しを知らせる表示を行うと同時に通信線（１１）を通してナースコール親機（７）に部屋番号・ベッド番号と共に呼び出しの種類が送信される。
【００１４】
ナースコール親機（７）では、呼び出しの種類に応じた鳴動音を鳴らすと共に、部屋番号・ベッド番号・患者名・呼び出しの種類を表示する。    看護師が送受話器をフックアップすればナースコール親機（７）と子機の間で通話路が形成されて患者と通話することが出来るが、呼び出しの種類に拠っては通話しなくても患者の要求内容が分るので、通話せずに呼び出しを復旧することも可能である。
【００１５】
図４は、廊下灯（８）とナースコール子機（９）と握り押しボタン（４）の内部構成を示すブロック図であり、本発明に関連する部分だけを示しており、通話機能などは省略してある。
図４に於いて、呼び出し種別の接点（１８）は表示窓（３）の位置に従ってＯＮ／OFFする接点であり、接点１つ１つが呼び出しの種類を表し、  呼び出しの種類が表示窓の位置にある接点のみがＯＮ状態となる。  
【００１６】
呼び出し種別接点（１８）は、ナースコール子機（９）内部のエンコーダ部（１７）で２進コードや１０進コード、１６進コードなどにコード化する。  コード化すれば、呼び出しの種類が多くなっても配線数が少なくて済む。    コード化した信号は送信部（１６）でシリアルデータまたは接点位置に応じたパルス数に変換されたり、またはコード化信号のまま廊下灯（８）側へ送られる。
配線数が少ない場合は、ナースコール子機（９）でコード化すること無しに接点信号のままで廊下灯（８）に送る。
【００１７】
廊下灯（８）では、  ナースコール子機（９）から送られてきた呼び出し種類の信号と呼び出しボタン（１）を押された信号で呼出検出部（１４）にて呼び出し種類を検出し、制御処理部（１３）が呼び出し状態を読み込み、  通信制御部（１２）と通信線（１１）を経由してナースコール親機（７）へ通信して呼び出しが発生したことを知らせる。    制御処理部（１３）は、同時に表示部（１５）に呼び出しの情報（ベッド番号や患者名や呼び出しの種類など）を表示する。
【００１８】
呼び出しを受けたナースコール親機（７）では、呼び出しの種類に応じた鳴動音を鳴らすと共に、
部屋番号・ベッド番号・患者名・呼び出しの種類が分かるような文字や図形表示または点灯表示を行って、看護師に知らせる。
【図面の簡単な説明】
【００１９】
【図１】表示窓が回転式の握り押しボタンの外観図
【図２】表示窓がスライド式の握り押しボタンの外観図
【図３】ナースコール装置の全体構成
【図４】廊下灯・ナースコール子機・握り押しボタンのブロック構成図
【図５】呼び出し種類の一例
【符号の説明】
【００２０】
1.                 
呼び出しボタン
2.                 
回転ケース
3.                 
呼び出し種類表示窓
4.                 
握り押しボタン
5.                 
接続線
6.                 
スライド・ボタン
7.                 
ナースコール親機
8.                 
廊下灯
9.                 
ナースコール子機
10.         
ハンド型子機
11.         
通信線
12.         
通信制御部
13.         
制御処理部
14.         
呼出検出部
15.         
表示部
16.         
送信部
17.         
エンコーダ部
18.         
呼出種別接点
【図１】
2007006929.tif 000003
【図２】
2007006929.tif 000004
【図３】
2007006929.tif 000005
【図４】
2007006929.tif 000006
【図５】
2007006929.tif 000007